(57)【特許請求の範囲】
【請求項１】
ベース部分を備え、このベース部分は、
楔型の頂部ケースであって、その頂部ケースの界面縁においてその頂部ケースの周囲に形成された谷及び肩を有し、谷は、第１の壁、底部、及び肩を形成する第２の壁を含み、両壁は、底部の上に立ち上がって谷を形成し、そして肩は、第１の接触面を有する立ち上った部分を含むものである頂部ケース、及び
底部ケースであって、その周囲に形成された第２の接触面を有し、その第２の接触面の少なくとも一部分は、前記第１の接触面に接触し、この底部ケースは、前記谷の第１の壁及び底部の両方から、ギャップによって離間された先縁も有し、前記第１及び第２の接触面間の接触エリアは、ラップトップコンピュータにより一般的に画成される水平面に対して非平行な平面を画成し、この底部ケースは、ラップトップコンピュータの少なくとも一部分に対する完全なハウジングを形成するように前記頂部ケースに結合され、その完全なハウジングは、少なくとも、複数の動作コンポーネント及び複数の構造コンポーネントを包囲するものである底部ケース、
を含むものであり、更に、
ヒンジアッセンブリにより前記ベース部分に枢着された蓋部分を備え、この蓋部分は、前記ベース部分の前記複数のコンポーネントの１つ以上と通信するディスプレイを有し、１つ以上の電気導体で前記ベース部分が前記蓋部分に電気的に接続される、ラップトップコンピュータ。
【請求項２】
前記頂部ケースは、前記第１及び第２の接触面間の接触エリアのみにおいて前記底部ケースに直接接触する、請求項１に記載のラップトップコンピュータ。
【請求項３】
前記頂部ケースの楔形状は、前記ラップトップコンピュータの底面がフラットな支持面に載せられたときに、前記楔型の頂部ケースがなす角度が使い易いキーボード配列及びタッチパッドを与えるようなものである、請求項１に記載のラップトップコンピュータ。
【請求項４】
前記頂部ケース又は底部ケースのサイズにおける１つ以上の寸法の変化で、前記第２の接触面の異なる部分が前記第１の接触面に接触するようにされる、請求項１に記載のラップトップコンピュータ。
【請求項５】
前記ハウジングは、コンピュータアッセンブリを包囲して支持し、そのコンピュータアッセンブリは、前記ラップトップコンピュータのための１組の定義された機能を与えるように動作できる複数のコンポーネントを含む、請求項１に記載のラップトップコンピュータ。
【請求項６】
前記ヒンジアッセンブリは、環状外部領域を含む少なくとも中空円筒部分より成る中空クラッチアッセンブリと、その環状外部領域により取り巻かれた中央ボア領域とを備え、その中央ボア領域は、前記ベース部分内に配置されたディスプレイと電気的コンポーネントとの間を通過する電気導体の少なくとも幾つかを支持するように適当に配置される、請求項１に記載のラップトップコンピュータ。
【請求項７】
ポータブルコンピューティングシステムをアッセンブルする方法において、
界面縁に形成された谷を有する頂部ケースを準備する段階であって、谷は、第１の壁、底部、及び第１の接触面を有する立ち上った肩部を形成する第２の壁を含むものである段階と、
前記第１の接触面と界面をなすようにされる第２の接触面、及び前記谷に受け入れられるようにされる先縁を有する底部ケースを準備する段階と、
前記底部ケースを前記頂部ケースに結合して、ポータブルコンピューティング装置のベース部分のための完全なハウジングを形成する段階であって、前記ベース部分は、少なくとも、複数の動作コンポーネント及び複数の構造コンポーネントを包囲するようにされる段階と、
前記ベース部分をヒンジアッセンブリによって蓋部分に枢着する段階であって、前記蓋部分は、少なくとも１つがディスプレイである複数のコンポーネントを有するものである段階と、
前記蓋部分のコンポーネントの少なくとも幾つかを、前記ヒンジアッセンブリを通して延びる１つ以上の電気導体により、前記ベース部分の動作コンポーネントに電気的に接続する段階と、
を備えた方法。
【請求項８】
前記頂部ケースは、楔状の外形を備えている、請求項７に記載の方法。
【請求項９】
前記結合は、前記先縁を、前記谷の第１の壁及び底部の両方から、それらの間のギャップにより離間させる、請求項８に記載の方法。
【請求項１０】
前記結合は、前記第１及び第２の接触面間の接触エリアが、前記ポータブルコンピューティング装置により一般的に画成された水平面に対して非平行の平面を画成するようにする、請求項８に記載の方法。
【請求項１１】
ポータブルコンピューティングシステムのハウジングコンポーネントの界面を形成する方法において、
部分的に形成された楔型の頂部ハウジングコンポーネントを準備する段階と、
頂部ハウジングコンポーネントの界面縁において頂部ハウジングコンポーネントの周囲に谷を形成する段階であって、谷は、第１の壁、底部、及び肩の形態の第２の壁を含み、両壁は、前記底部の上に立ち上って谷を形成するものである段階と、
前記肩の延長部分を除去して、肩の頂部に適当な界面第１接触面を形成する段階と、
を備えた方法。
【請求項１２】
底部ハウジングコンポーネントの第２の接触面を前記肩の頂部において前記界面第１接触面に対して載せる段階と、
前記底部ハウジングコンポーネントを前記頂部ハウジングコンポーネントに結合する段階と、
を更に備えた請求項１１に記載の方法。
【請求項１３】
前記底部ハウジングコンポーネント及び頂部ハウジングコンポーネントは、前記第１及び第２の接触面のみにおいて互いに接触する、請求項１１に記載の方法。
【請求項１４】
前記ベース部分は、複合材料又はアルミニウムを含む、請求項１に記載のラップトップコンピュータ。
【発明の詳細な説明】
【技術分野】
【０００１】
本発明は、一般的に、ポータブルコンピューティング装置に関するもので、より特定すれば、ポータブルコンピューティングシステムのエンクロージャー及びポータブルコンピューティング装置のアッセンブル方法に関する。
【０００２】
（関連出願の相互参照）
本特許出願は、２０１０年１０月１８日に出願された米国プロビジョナル特許出願第６１／３９４，０３７号、及び２０１０年１０月１９日に出願された米国プロビジョナル特許出願第６１／２７５，７２４号の優先権を主張するもので、これらは、両方とも、“PORTABLE COMPUTING SYSTEM”と題し、両方とも、デナー氏等によるものであり、そして両方とも、全ての目的で参考としてここにそのまま援用される。
【０００３】
又、本特許出願は、次の同時係争中の特許出願にも関連し、それらも、全ての目的で参考としてここにそのまま援用される
（ｉ）２０１０年３月１日に出願されたミューフィ氏等の“INTEGRATED FRAME BATTERY CELL”と題する米国特許出願第１２／７１４，７３７号（ＡＰＬ１Ｐ６２０）；
（ii）２００９年９月２日に出願されたデューク氏の“CENTRIFUGUAL BLOWER WITH NON-UNIFORM BLADE SPACING”と題する米国特許出願第１２／５５２，８５７号（ＡＰＬ１Ｐ５９４）；
（iii）２００９年１１月１７日に出願されたデグナー氏等の“HEAT REMOVAL IN COMPACT COMPUTING SYSTEMS”と題する米国特許出願第１２／６２０，２９９号（ＡＰＬ１Ｐ５９７）；
（iv）２００９年１０月１６日に出願されたラフ氏等の“COMPUTER HOUSING”と題する米国特許出願第１２／５８０，９２２号（ＡＰＬ１Ｐ６０１）；及び
（ｖ）２０１０年２月２４日に出願されたニユ氏等の“STACKED METAL AND ELASTOMERIC DOME FOR KEY SWITCH”と題する米国特許出願第１２／７１２，１０２号（ＡＰＬ１Ｐ６１９）。これらは、各々、全ての目的で参考としてここにそのまま援用される。
【背景技術】
【０００４】
ポータブルコンピューティングシステムの外観は、そのデザインや重量も含めて、ポータブルコンピューティングシステムのユーザにとって重要である。というのは、外観は、ポータブルコンピューティングシステムについてユーザがもつ全体的な印象に貢献するからである。同時に、ポータブルコンピューティングシステムのアッセンブリも、ユーザにとって重要である。というのは、耐久性のあるアッセンブリは、ポータブルコンピューティングシステムの全体的寿命を延長する上で助けとなり、ユーザにとってその価値を高めるからである。
【０００５】
ポータブルコンピューティングシステムの製造に関連した１つの設計上の挑戦は、種々の内部コンピューティングコンポーネントを収容するのに使用される外部エンクロージャーの設計である。この設計上の挑戦は、一般的に、他の考えられる目標の中でも、外部エンクロージャー又はハウジングをより軽く且つより薄くし、エンクロージャーをより強くし、そしてエンクロージャーを審美的に満足なものにするという要望を含む多数の対立する設計目標から生じる。軽いハウジング又はエンクロージャーは、より柔軟なものとなって、歪んだり曲がったりする傾向が高くなるが、より強くて堅牢なエンクロージャーは、より厚いものとなって、より大きな重量を支持する傾向となる。不都合なことに、高い重量は、不細工さ又はポータビリティの低さに関してユーザの不満を招くが、曲がりは、内部部品にダメージを及ぼすか又は他の故障を招くことがある。更に、醜い又は見苦しいと感じる装置を所有し又は使用することを望む消費者は、ほとんどいない。そのような事柄のために、ポータブルコンピューティングシステムのエンクロージャーの材料は、典型的に、重量の制約を満足しながら充分な構造上の剛性を与えるように選択されて、審美的な見掛けが、これらの初期基準を満足する材料に作用するようにされる。
【０００６】
従って、ポータブルコンピューティングシステムの外部エンクロージャー又はハウジングは、重量が低く且つ構造上の剛性が高いという両方の目標を達成するために適当な厚みを有するアルミニウム、スチール及び他の安価で頑丈な金属から形成されることが多い。又、金属エンクロージャーの使用は、コンピューティング装置のプロセッサ及び他の電気的コンポーネントのための手近な電気的接地及び／又は手近な高周波（ＲＦ）又は電磁障害（ＥＭＩ）シールドを提供する観点からも便利である。というのは、金属エンクロージャー又は外部ハウジングは、そのような機能に容易に使用できるからである。
【発明の概要】
【発明が解決しようとする課題】
【０００７】
それ故、審美的に満足で、軽量で且つ耐久性のあるポータブルコンピューティングシステムを提供することが有益である。又、ポータブルコンピューティングシステムをアッセンブルする方法を提供することも有益である。
【課題を解決するための手段】
【０００８】
本発明は、軽量で且つ耐久性のあるポータブルコンピューティング装置を提供するためのシステム及び方法に関連した種々の実施形態について説明する。これは、ポータブルコンピューティング装置の２つの外部ハウジングコンポーネント間の界面に沿って形成された抱き(reveal)領域を使用することによって少なくとも一部分達成され、抱き領域は、谷及び肩を含み、一方のハウジングコンポーネントの接触面が、接触面及び先縁を含む他方のハウジングコンポーネントの一部分に接触するようにされる。
【０００９】
種々の実施形態において、ポータブルコンピューティング装置は、少なくとも、軽量で且つ強力な材料で各々形成された頂部ケース及び底部ケースを有するベース部分を備えている。頂部ケースは、楔型であり、そして底部ケースは、複数の動作コンポーネント及び複数の構造コンポーネントのための完全なハウジングを形成するように頂部ケースに結合される。又、ポータブルコンピューティング装置は、ヒンジアッセンブリによりベース部分に枢着された蓋部分も備えている。蓋部分は、ベース部分の１つ以上のコンポーネントと通信するディスプレイを有し、１つ以上の電気導体がベース部分を蓋部分に電気的に接続する。ここに述べる実施形態の１つの態様において、コンピューティング装置は、ラップトップコンピュータの形態をとる。
【００１０】
種々の実施形態において、楔型の頂部ケースは、頂部ケースの界面縁において頂部ケースの周囲に形成された谷及び肩を有し、谷は、第１の壁、底部、及び肩を形成する第２の壁を含み、両壁は、底部の上に立ち上がって谷を形成し、そして肩は、第１の接触面を有する立ち上った部分を含む。底部ケースは、その周囲に形成された第２の接触面を有し、その第２の接触面の少なくとも一部分は、第１の接触面に接触する。又、底部ケースは、谷の第１の壁及び底部の両方からギャップにより離間された先縁も有する。第１及び第２の接触面間の接触エリアは、ポータブルコンピューティング装置又は底部ケースにより一般的に画成される水平面に対して非平行な平面を画成する。底部ケースは、ポータブルコンピューティング装置の少なくとも一部分に対する完全なハウジングを形成するように頂部ケースに結合され、この完全なハウジングは、少なくとも、複数の動作コンポーネント及び複数の構造コンポーネントを包囲することができる。
【００１１】
更に別の種々の実施形態において、ポータブルコンピューティングシステムをアッセンブルする方法は、底部ケース、及びその界面縁に形成された谷を有する楔型の頂部ケースを備えたベース部分を準備することを含み、谷は、第１の接触面を有する立ち上った肩部を含む。更に別の方法ステップは、底部ケースを頂部ケースに結合して、動作コンポーネント及び構造コンポーネントを包囲するポータブルコンピューティング装置の少なくとも一部分に対する完全なハウジングを形成し、ベース部分をヒンジアッセンブリによりディスプレイを有する蓋部分に枢着し、そして蓋部分のコンポーネントを、ヒンジアッセンブリを通して延びる１つ以上の電気導体により、ベース部分の動作コンポーネントに電気的に接続することを含む。
【００１２】
更に別の実施形態において、ポータブルコンピューティングシステムのハウジングコンポーネントの界面を形成する方法は、部分的に形成された楔型の頂部ハウジングコンポーネントを準備し、そして頂部ハウジングコンポーネントの界面縁において頂部ハウジングコンポーネントの周囲に谷を形成することを含む。谷は、第１の壁、底部、及び肩の形態の第２の壁を含み、両壁は、底部の上に立ち上って谷を形成する。別の方法ステップは、肩の延長部分を除去して、肩の頂部に適当な界面第１接触面を形成することを含む。又、この方法は、底部ハウジングコンポーネントの第２の接触面を肩の頂部において界面第１接触面に対して載せ、そして底部ハウジングコンポーネントを頂部ハウジングコンポーネントに結合することも含む。
【００１３】
本発明の他の装置、方法、特徴及び効果は、当業者であれば、添付図面及び以下の詳細な説明を検討したときに明らかとなろう。そのような全ての付加的なシステム、方法、特徴及び効果は、本開示の中に含まれ、本発明の範囲内に包含され、そして特許請求の範囲により保護されることが意図される。
【００１４】
添付図面は、例示のためのものであり、ポータブルコンピューティング装置を提供するためのここに開示する装置及び方法の考えられる構造及び構成の例を与えるものに過ぎない。これらの図面は、本発明の精神及び範囲から逸脱せずに、当業者により本発明に対してなされる形態及び細部の変更を何ら制限するものではない。本発明の実施形態は、同じ構造要素が同じ参照番号で示された添付図面を参照してなされた以下の詳細な説明により容易に理解されよう。
【図面の簡単な説明】
【００１５】
【図１】ここに述べる実施形態によるポータブルコンピューティングシステムの代表的な図である。
【図２】ここに述べる実施形態によるポータブルコンピューティングシステムの代表的な図である。
【図３】ここに述べる実施形態によるポータブルコンピューティングシステムの代表的な図である。
【図４】ここに述べる実施形態によるポータブルコンピューティングシステムの代表的な図である。
【図５】ここに述べる実施形態によるポータブルコンピューティングシステムの代表的な図である。
【図６】ここに述べる実施形態によるポータブルコンピューティングシステムの代表的な図である。
【図７】ここに述べる実施形態による底部ケースの外部図である。
【図８】図７に示す底部ケースの内部図である。
【図９ａ】ここに述べる実施形態によりキーボード及びタッチパッドを収容するのに使用される種々の開口を示す頂部ケースの外部図である。
【図９ｂ】ここに述べる実施形態によりキーボード及びタッチパッドを収容するのに使用される種々の開口を示す頂部ケースの外部図である。
【図１０ａ】頂部ケース及び特徴部プレートアッセンブリを示す。
【図１０ｂ】頂部ケース及び特徴部プレートアッセンブリを示す。
【図１０ｃ】頂部ケース及び特徴部プレートアッセンブリを示す。
【図１１ａ】ポータブルコンピューティング装置の頂部ケース及び底部ケースを固定するのに使用できる不正防止固定具の実施形態を示す。
【図１１ｂ】ポータブルコンピューティング装置の頂部ケース及び底部ケースを固定するのに使用できる不正防止固定具の実施形態を示す。
【図１２】ポータブルコンピューティングシステムの一部分に対する規範的な外部ハウジングを示す側部断面図である。
【図１３】本発明の一実施形態によるポータブルコンピューティングシステムの一部分に対する規範的な別の外部ハウジングを簡単に示す側部断面図である。
【図１４】本発明の一実施形態による図１３のハウジングコンポーネントの規範的な肩−谷界面領域を示す拡大側部断面図である。
【図１５Ａ】本発明の一実施形態によりハウジングコンポーネント界面領域に谷を形成する１つの規範的な仕方を示す。
【図１５Ｂ】本発明の一実施形態によりハウジングコンポーネント界面領域に谷を形成する１つの規範的な仕方を示す。
【図１５Ｃ】本発明の一実施形態によりハウジングコンポーネント界面領域に谷を形成する１つの規範的な仕方を示す。
【図１６】ここに述べる実施形態によるプロセスを示すフローチャートである。
【発明を実施するための形態】
【００１６】
本発明による装置及び方法の規範的な応用例をここに説明する。これらの例は、単に、背景を付加し、本発明の理解を助けるためのものである。従って、当業者であれば、これらの特定の細部の幾つか又は全部がなくても本発明を実施できることが明らかであろう。他の例では、本発明を不必要に不明瞭にしないため、良く知られたプロセスステップは、詳細に説明しない。他の応用例も考えられ、以下の例に限定されない。
【００１７】
以下の説明は、ラップトップコンピュータ、ネットブックコンピュータ、タブレットコンピュータ、等のポータブルコンピューティングシステムに関する。ポータブルコンピューティングシステムは、ベース部分を形成するように抱き部で接合される頂部ケース及び底部ケースを有する多部分ハウジングを備えている。又、ポータブルコンピューティングシステムは、ディスプレイスクリーン及び他の関連コンポーネントを収容できる上部（又は蓋）を有し、一方、ベース部分は、種々のプロセッサ、ドライバ、ポート、バッテリ、キーボード、タッチパッド、等を収容する。ベース部分は、頂部及び底部の外部ハウジングコンポーネントを含む多部分ハウジングで形成され、その各々は、界面領域において特定の仕方で形成され、それらの外部ハウジングコンポーネント間のギャップ及びオフセットは、装置の大量生産中に、減少されるだけでなく、装置ごとにより一貫したものとなるようにされる。これらの一般的な目的は、以下に詳細に説明する。
【００１８】
特定実施形態において、蓋及びベース部分は、中空のクラッチアッセンブリと称されるものにより、互いに枢着される。中空のクラッチアッセンブリは、ベース部分を蓋に枢着するように構成される。中空のクラッチアッセンブリは、少なくとも、環状の外部領域を含む中空円筒部分と、その環状の外部領域により取り巻かれた中央ボア領域とを含み、その中央ボアは、ベース部分と蓋の電気的コンポーネントとの間の電気導体のための支持体をなすように適当に構成される。又、中空のクラッチアッセンブリは、ポータブルコンピューティングシステムのベース部分及び蓋に中空クラッチを結合する複数の固定領域も含み、それら固定領域の少なくとも１つは、スペース、サイズ及び部品点数が最小となるように、中空円筒部分と一体的に形成される。
【００１９】
多部分ハウジングは、強力で耐久性がありしかも軽量の材料で形成される。そのような材料は、複合材料及び／又はアルミニウムのような金属を含む。アルミニウムは、多部分ハウジングにとって良い選択肢となる多数の特性を有する。例えば、例えば、アルミニウムは、良好な電気的接地を与える良好な電気導体であると共に、加工が容易で且つ良く知られた冶金学的特性を有する。更に、アルミニウムは、強い反応性がなく且つ非磁性であり、これは、ポータブルコンピューティングシステムがＷｉＦｉ、ＡＭ／ＦＭ、等のＲＦ能力を有する場合の本質的な要件である。多部分ハウジングを保護し且つ審美的に魅力のある仕上げを与えるため（両方とも視覚的及び触覚的）、多部分ハウジングの外面に保護層を配置し又は形成することができる。保護層は、ハウジングの審美的魅力を向上させ、且つポータブルコンピューティングシステムの見掛けを保護する仕方で適用することができる。１つの実施形態において、多部分ハウジングがアルミニウムで形成されるときに、少なくともアルミニウムの外面をアノード処理して、保護層を形成することができる。
【００２０】
頂部ケースは、アッセンブル作業中に複数の動作コンポーネントを挿入できるところの空洞又は内腔を含む。ここに述べる実施形態では、最も上のコンポーネントを最初に挿入した後に上から下への配列でコンポーネントを挿入する「頂部−底部」アッセンブリ作業において、動作コンポーネントを内腔に挿入して頂部ケースに取り付けることができる。例えば、頂部ケースを設けて、キーボードモジュールを収容するように整形することができる。キーボードモジュールは、複数のキーキャップアッセンブリ及び関連回路で形成されたキーボードアッセンブリ、例えば、スイッチングマトリクスを合体できる柔軟なメンブレーンを含む。１つの実施形態では、キーキャップアッセンブリは、参考としてここにそのまま援用するニウ氏等の“STACKED METAL AND ELASTOMERIC DOME FOR KEY SWITCH”と題する米国特許出願第１２／７１２，１０２号に述べられたような低背型キーキャップの形態をとることができる。
【００２１】
１つの実施形態において、キーキャップアッセンブリは、電源スイッチに置き換わるように使用することができる。例えば、従来のキーボードにおいて、最も上の行のキーキャップの各々に少なくとも１つの機能を指定することができる。しかしながら、キーキャップの１つを電源ボタンとして再配備することにより、少なくとも従来の電源ボタンに関連したスイッチメカニズムを排除して、既に利用できるキーキャップアッセンブリ及び関連回路に置き換えることで、動作コンポーネントの数を減少することができる。
【００２２】
キーボードに加えて、ポータブルコンピューティングシステムは、タッチパッド、タッチスクリーン、等の線に沿ってタッチ感知装置を備えている。ポータブルコンピューティング装置がタッチパッドを備えた実施形態では、タッチパッドは、ガラス材料で形成される。ガラス材料は、化粧面をなし、タッチパッドのための構造上の剛性の主要源である。このように、ガラス材料を使用することで、従来の設計に比してタッチパッドの全体的な厚みが著しく減少される。タッチパッドは、タッチパッドに関連したセンサ及びキーボードに関連したキーボードメンブレーンの両方からの信号を処理するための回路を備えることができる。従って、キーボードメンブレーンからの信号を処理するのに従来使用された個別の回路が排除される。
【００２３】
タッチパッドは、シールメカニズムでカバーされたタッチパッドの操作を検出するドームスイッチを含む。ドームスイッチは、電気的スイッチを含む。シールメカニズムは、埃や水分の侵入から電気的スイッチを保護し、従って、電気的スイッチの健全さを改善することができる。シールメカニズムは、圧縮時にドームスイッチが膨張するところの膨張ギャップを含むことができる。操作中に、膨張ギャップを使用することで、ドームスイッチに関連した力のフィードバック応答、及びタッチパッドの全体的な審美的感覚が改善される。
【００２４】
頂部ケース及び底部ケースの少なくとも一方がアルミニウムのような導電性材料で形成される実施形態では、良好な電気的接地平面又は電気的接地を与えることができる。良好な接地平面を与える能力は、ポータブルコンピューティングシステムでは動作コンポーネントが互いに密接に接近するので特に好都合である。この密接な接近のため、著しいＲＦ放射源（メインロジックボード又はＭＬＢのような）を、ＲＦ障害に敏感なワイヤレス回路のような回路から分離することが望ましい。このように、少なくとも導電性頂部ケース及び／又は底部ケースを使用して良好なシャーシ接地を与え、次いで、これを使用して、ＲＦエネルギーを発生する回路を、ＲＦエネルギーに敏感なコンポーネントから電磁的に分離することができる。更に、頂部及び底部の両ケースを導電性材料で形成することにより、頂部ケース及び底部ケースを接合して、ポータブルコンピューティングシステムにより発生されるＥＭＩから外部環境を効果的にシールドできるファラディ籠(Faraday cage)として働くベース部分を形成することができる。ベース部分のファラディ籠のような属性は、ＲＦに敏感なコンポーネントを、外部で発生したＥＭＩから保護することもできる。
【００２５】
ユーザに満足な審美性を与えるために、ポータブルコンピューティングシステムの形状は、目や接触に対して満足なプロフィールをもつことができる。ここに述べる実施形態では、多部分ハウジングが楔形状をもつことができる。楔形状とは、ポータブルコンピューティングシステムの底面がテーブル又はデスクのようなフラットな支持面に載せられたとき、楔状ハウジング（特に、多部分ハウジングの楔状の上部）により与えられる角度が、使い易いキーボード配置及びタッチパッドを提供できるというものである。角度がほとんど又は全くない均一形状のハウジングを有するラップトップコンピュータのような従来のポータブルコンピューティングシステムとは対照的に、ポータブルコンピューティングシステムの楔形状は、ユーザの指により自然に整列するタッチパッド面及びキーキャップを与えることによりユーザとタッチパッド及びキーボードとの相互作用を改善することができる。このような人間工学的な改善は、ユーザの手首に課せられる応力及び歪の量を減少する上で助けとなる。
【００２６】
少なくとも、多部分ハウジングを形成するのに使用される材料の強力で且つ弾力性のある性質のために、多部分ハウジングは、付加的な支持構造体を必要としない広いスパンの多数の開口を含むことができる。そのような開口は、内部回路へのアクセスを与えるのに使用できるポートの形態をとる。ポートは、例えば、外部回路を接続するケーブル（ＵＳＢ、イーサネット（登録商標）、ＦｉｒｅＷｉｒｅ、等）を収容するのに適したデータポートを含む。又、開口は、オーディオ回路、ビデオディスプレイ回路、電源入力、等へのアクセスも与えることができる。
【００２７】
これら及び他の実施形態は、図１ないし１６を参照して以下に述べる。しかしながら、当業者であれば、これらの図面を参照して述べる詳細な説明は、単なる例示に過ぎず、本発明は、これらの限定された実施形態を越えて拡張し得ることが容易に明らかであろう。
【００２８】
ポータブルコンピューティング装置
図１ないし６は、ここに述べる実施形態によるポータブルコンピューティングシステム１００を示す図である。図１は、オープン（蓋）状態にあるポータブルコンピューティングシステム１００の前面斜視図であり、図２は、クローズ（蓋）状態にあるポータブルコンピューティングシステム１００を示す。ポータブルコンピューティングシステム１００は、頂部ケース１０６に固定された底部ケース１０４で形成されたベース部分１０２を備えている。ベース部分１０２は、化粧壁１１１により視界から隠れた中空クラッチアッセンブリ１１０により蓋部分１０８に枢着される。ベース部分１０２は、全体的に楔型であって、その第１の端が中空クラッチアッセンブリ１１０を収容するサイズにされている。ベース部分１０２は、ユーザが例えば指で蓋部分１０８を持ち上げるのを助けるのに適したインセット部分１１２を収容するように構成されたより狭い構成の端へとテーパー付けされる。ここに述べる実施形態では、ベース部分１０２の全体的に楔型の見掛けは、頂部ケース１０６の全体的な楔形状によって作られる。頂部ケース１０６は、キーボード１１４及びタッチパッド１１６のような種々のユーザ入力装置を収容するように構成される。キーボード１１４は、関連キーパッド１１８を各々有する複数の低背型キーキャップアッセンブリを含む。
【００２９】
複数のキーパッド１１８の各々には、特定のキーパッドに関連したキー入力を識別するために記号が刻印されている。キーボード１１４は、キーストロークと称される指運動を使用して各キーパッドで個別の入力を受け取るように構成される。ここに述べる実施形態では、各キーパッドの記号は、ポータブルコンピューティングシステム１００の寿命にわたりキーストロークを常に与える状態のもとでも薄れない非常に綺麗で耐久性のある刻印を形成するようにレーザーエッチングされる。タッチパッド１１６は、ユーザの指のジェスチャーを受けるように構成される。指のジェスチャーは、２本以上の指を一緒に当てることからのタッチ事象を含む。又、ジェスチャーは、スワイプ又はタップのような１本指のタッチ事象も含む。コンポーネントの数を減少するために、キーキャップアッセンブリは、電源ボタンとして再準備することができる。例えば、キーパッド１１８−１は、電源ボタン１１８−１として使用することができる。このように、ポータブルコンピューティングシステム１００における全コンポーネント数を比例的に減少することができる。
【００３０】
蓋部分１０８は、ディスプレイ１２０及び後部カバー１２２（図２により明確に示す）を備え、後部カバーは、蓋部分１０８に化粧仕上げを付加すると共に、少なくともディスプレイ１２０に対する構造上の支持も与える。ここに述べる実施形態では、蓋部分１０８は、ディスプレイ１２０を取り巻くベゼル１２４を含む。蓋部分１０８は、中空のクラッチアッセンブリ１１０の助けで閉じた位置から移動して、オープン位置に保持し、そして再び戻すことができる。ディスプレイ１２０は、グラフィックユーザインターフェイスのような視覚的コンテンツ、写真のようなスチール画像、及び映画のようなビデオメディアアイテムを表示することができる。ディスプレイ１２０は、液晶ディスプレイ（ＬＣＤ）、ＯＬＥＤ、等の適当な技術を使用して画像を表示することができる。又、ポータブルコンピューティングシステム１００は、ベゼル１２４に配置された画像捕獲装置１２６も備えている。この画像捕獲装置１２６は、スチール画像及びビデオ画像の両方を捕獲するように構成される。ディスプレイトリム（又はベゼル）１２４は、蓋部分１０８内にあって後部カバー１２２に取り付けられた構造コンポーネント（図示せず）によって支持することができる。ディスプレイトリム１２４は、動作及び構造コンポーネントを隠すと共に、ディスプレイ１２０のアクティブなエリアに注意を集中させることにより、ディスプレイ１２０の全体的な見掛けを向上させる。データポート１２８及び１３０は、外部回路（１つ又は複数）とポータブルコンピューティングシステム１００との間にデータ及び／又は電力を転送するのに使用される。蓋部分１０８は、蓋部分１０８に付加的な強度及び弾力性を与えるユニボディ構造をもつように形成され、これは、開閉を繰り返すことにより生じる応力のために特に重要である。強度及び弾力性の増加に加えて、蓋部分１０８のユニボディ構造は、個別の支持特徴部を排除することにより全体的な部品数を減少することができる。
【００３１】
ポータブルコンピューティングシステム１００の側面図である図３−６を参照する。より詳細には、図３は、ポータブルコンピューティングシステム１００の背面図で、中空のクラッチアッセンブリ１１０を隠すために使用される化粧特徴部１１１と、ポータブルコンピューティングシステム１００を支持するために使用できる少なくとも２つの支持脚１３２とを示している。支持脚１３２は、プラスチックのような耐摩耗・弾力性材料で形成することができる。図４は、ポータブルコンピューティングシステム１００の代表的前面図で、頂部ケース１０６と蓋部分１０８との間のインサート１１２の相対的位置を示す。ポータブルコンピューティングシステム１００の代表的側面図である図５は、種々のデータ及び電力ポートを収容するのに使用できる開口を有する頂部ケース１０６の左側壁１３４を示す。例えば、左側壁１３４に形成された開口１３６は、イーサネット（登録商標）ケーブルを収容するのに使用でき、一方、開口１３８は、ＭａｇｓａｆｅTMリセプタクル１４０を収容するのに使用できる。開口１３８は、一部分は、適当に構成された電力プラグをリセプタクル１４０に対して容易に整列させることのできる比較的大きなプラットホーム１４２又はメサのために、リセプタクル１４０を収容するための高いアスペクト比をもたねばならないことに注意されたい。ここに述べる特定の実施形態では、オーディオリセプタクル１４４及びサイドファイアリング(side firing)マイクロホン１４６を側壁１３４に配置することができる。図６に示したように、頂部ケース１０６の右側壁１４８は、各々ＤｉｓｐｌａｙＰｏｒｔTMタイプビデオポートのようなビデオポートの形態をとるデータポート１２８（ＵＳＢデータポートのような）及び１３０を収容するのに使用される開口１５０及び１５２を含むことができる。
【００３２】
図７は、底部ケース１０４を外部から見た図で、支持脚１３２、インサート１１２、中空クラッチアッセンブリ１１０の外部、及び底部ケース１０４と頂部ケース１０６を一緒に固定するのに使用される固定具１５４の相対的位置を示している。ここに述べる特定の実施形態において、固定具１５４は、以下に詳細に述べる不正防止固定具の形態をとることができる。図８は、底部ケース１０４の内部図で、固定具１５４を収容するのに使用される開口１５６を示す。更に、固定具１５８は、装置脚１３２を底部ケース１０４に固定するのに使用される。スタンドオフ１６０は、底部ケース１０４を頂部ケース１０６に取り付けるときに底部ケース１０４の支持を与えるのに使用できる。
【００３３】
図９ａ及び９ｂは、頂部ケース１０６の代表的な実施形態を示す。例えば、図９ａは、頂部ケース１０６を外部から見た図で、キーボード１１４及びタッチパッド１１６を収容するのに使用される種々の開口を示す。より詳細には、開口１６０は、各々、特定のキーキャップアッセンブリに基づくサイズ及び形状を有する。例えば、開口１６０−１は、電源ボタン１１８−１を収容するサイズとされ、開口１６０−２は、スペースバーを収容するサイズとされる。開口１６０に加えて、開口１６２は、タッチパッド１１６を支持することができる。例えば、開口１６２は、タッチパッド１１６を頂部ケース１０６に固定するのに使用される取り付け特徴部１６４を含む。更に、頂部ケース１０６の内部を示す図９に見られるように、タッチパッド１１６及びキーボード１１４の両方を固定するのに使用できる多数の付加的な取り付け特徴部を見ることができる。特定の実施形態において、キーボード１１４及びタッチパッド１１６は、少なくとも、全コンポーネント数を減少できる回路を共有することができる。更に、ノッチ１６６を中空のクラッチアッセンブリ１１０に関連して使用して、より統合され且つ一体化された見掛けをポータブルコンピューティングシステム１００に与えることができる。取り付け特徴部１６８は、開口１５６と共に使用されて、適当な固定具の使用で底部ケース１０４と頂部ケース１０６を固定することができる。
【００３４】
図１０ａないし１０ｃは、頂部ケース及び特徴部プレートアッセンブリ１８０を示す。図１０ａは、全アッセンブリ１８０を前面斜視図で示しており、図１０ｂは、アッセンブリのコーナーの拡大図である。図１０ｂに示すように、特徴部プレート１８４は、多数のリベット１８４により頂部ケース１０６に固定される。容易に明らかなように、特徴部プレート１８４と頂部ケース１０６との間には、多数のコンポーネントを配置することができる。図１０ｃは、特徴部プレートアッセンブリ１８０の１つのリベット位置の部分断面図であり、リベット止めは、複合ビーム形式で行われる。例えば、薄いスチールプレートである特徴部プレート１８４は、位置１８８において、種々のキーキャップ（図示せず）間に置かれたアルミニウム帯紐１８６にリベット止めすることができる。帯紐１８６は、次いで、頂部ケース１０６に結合されるか、又はある実施形態では、頂部ケースと一体的に形成することができる。位置１８８は、特徴部プレート１８２の接近配置位置を通して進むリベットを収容するサイズ及び形状とされるのが好ましい。
【００３５】
多数のリベット１８４により特徴部プレート１８２を頂部ケース１０６にリベット止めして種々の内部コンポーネントを包囲することにより多数の効果を実現することができる。例えば、頂部ケース１０６及びスチール特徴部プレート１８２を組み合わせることで、有効なＥＭＩシールドを形成することができ、ある実施形態では、ファラディ籠形式のシールドを形成することもできる。このＥＭＩシールド効果は、リベットにより一緒に保持される多数の固定点を使用することで向上され、これは、キーボードの内部コンポーネントを、スクリュー又はボルト形式の構成のように僅かな固定点しか使用されないときより良好にシールする傾向となる。このＥＭＩシールドは、キーボードを、ＥＭＩの意味で、コンピューティング装置における種々の他のコンポーネント、例えば、キーボードの真下に位置するプロセッサ又は装置のアンテナから効果的に分離する。
【００３６】
別の利益として、スクリュー、ボルト、等の他の形式の固定用コンポーネントではなくリベットを使用することで、コンポーネントの強力な固定に作用するために頂部ケース１０６又はアルミニウム帯紐１８６を通して固定用コンポーネントを延ばす必要がなくなる。これは、頂部ケースの外側又はアルミニウム帯紐に滑らかで途切れのない表面が望まれる場合に効果的である。又、これは、上述したように、ある場合に、リベット止めされるコンポーネントの前面側にアクセスする必要がないという点で、製造リベット止めプロセスが同様のスクリュー止め又はボルト止めプロセスより著しく高速であるという点でも、効果的である。スクリューではなくリベットを使用することにより実現できる別の利益は、特に、スペースを要するネジ切りされた構造物又はコンポーネントを収容する必要がもはやないので、アッセンブリ全体を薄くできることである。
【００３７】
スクリュー又はボルトではなくリベットを使用することで、非常に多数の固定用コンポーネント（即ち、リベット）の必要性が生じる傾向となるが、各リベット位置は、同様のアッセンブリにおける各スクリューの位置より弱くなる傾向があるので、これは、強度増加のための複合ビーム型リベット止め構成、及び迅速なリベット止めプロセスを使用して、リベット止めされるアッセンブリの片側に滑らかで途切れのない前面の利益を得ることにより、対抗される。スクリューではなくてリベットを使用することで、製造プロセスが簡単になり、これは、コストを節減し、高速であり、且つより多くの固定点を使用できるようになり、ひいては、より確実に一緒に固定されるコンポーネントをより完全なものにする。一緒にリベット止めされた頂部ケース、キーボード及び特徴部プレートアッセンブリの全体的な印象も、スクリューではなくリベットを使用することで改善される。というのは、コンポーネントの結合が、全体的なアッセンブリとして、より硬く、より安定で、且つより強く接着される傾向となるからである。
【００３８】
図１１ａは、底部ケース１０４及び頂部ケース１０６を固定するのに使用できる不正防止固定具１７０の形態の固定具１５４の実施形態を示す。ここに述べる実施形態では、不正防止固定具１７０は、整形くぼみ１７４を含む頭部１７２を有するように形成される。くぼみ１７４の数及び形状は、広く変化し得る。このように、挿入又は除去のために不正防止固定具１７０に係合できる唯一の許可されたメカニズムは、図１１ｂに示すドライバ１７６である。ドライバ１７６は、整形くぼみ１７４に対応するように整形されたドライバ部分１７８を含む。図１１ａ及び１１ｂに示す特定の具現化において、不正防止固定具１７０は、５つの整形くぼみ１７４（ローブ(lobe)とも称される）を含み、不正防止固定具１７０は、ペンタローブ(pentalobe)固定具１７０とも称される。それ故、ペンタローブ固定具１７０に適切に係合するために、ドライバ１７６のドライバ部分１７８は、ペンタローブ１７４に適合する形状をもたねばならない。換言すれば、ドライバ部分１７８は、ペンタローブ１７４の形状及びサイズに一致する形状及びサイズとされねばならない。従って、許可されたペンタローブ１７６にアクセスできる個人だけがペンタローブ固定具１７０に適切に係合することができる。このように、適切でない形状のドライバの使用は、ペンタローブ固定具１７０にダメージが生じ易いことによって容易に検出することができる。
【００３９】
抱き(reveal)領域
図１２は、ポータブルコンピューティングシステムの一部分の規範的外部ハウジングの側部断面図である。ベース部分１０２は、頂部ハウジングコンポーネント３１０及び底部ハウジングコンポーネント３２０を備え、これらは、一緒にアッセンブルされて、種々の内部コンピューティングコンポーネントを収容する内部空洞又は領域３３０を形成する。頂部及び底部のハウジングコンポーネント３１０、３２０は、界面又は「抱き」領域３０２において装置の外周で互いに接触することができる。そのような抱き領域３０２における頂部及び底部のハウジングコンポーネント３１０、３２０の一般的形態は、頂部ハウジングが底部ハウジングと合流する全外周に沿って実質的に同様であるが、ある特徴又は理由で、ある点において、種々のカスタム化又は例外が生じ得る。
【００４０】
抱き領域３０２の拡大図に示すように、頂部ハウジング３１０は、接触エリア３４２に沿って底部ハウジング３２０に当接する。図１２では一本の線のように見えるが、接触エリア３４２は、実際には、頂部及び底部のハウジングコンポーネント３１０、３２０間の表面積対表面積の接触領域を表わすことが容易に明らかであろう。接触エリア３４２の実際の位置は、頂部コンポーネント３１０の各全表面に沿ってシフトし、そして各個々のコンポーネント及び装置の実際の寸法に基づいて装置ごとに変化し得る。頂部ハウジングコンポーネント３１０と底部ハウジングコンポーネント３２０との間には、ギャップ又は「抱き」３４０が存在し、このギャップのサイズと、頂部及び底部ハウジングコンポーネント間のオフセットは、装置ごとに、又は装置コンポーネントの大量生産では生産運転ごとに、潜在的に変化する。容易に明らかなように、抱き３４０と、頂部及び底部ハウジングコンポーネント間のオフセットの最大及び最小寸法は、種々のファクタ、特に、頂部及び底部ハウジングコンポーネントそれ自体の寸法及び公差に依存する。
【００４１】
図１３は、本発明の一実施形態によるポータブルコンピューティングシステムの一部分に対する規範的な別の外部ハウジングの側面断面図である。ポータブルコンピューティングシステムの下部４００は、同様に、頂部ハウジングコンポーネント４１０及び底部ハウジングコンポーネント４２０を備え、これらは、一緒にアッセンブルされて、種々の内部コンピューティングコンポーネントを収容する内部空洞又は領域４３０を形成する。一般的に、下部４００は、データ、特に、オーディオ、ビデオ、画像、等のメディアデータを処理できるポータブルコンピューティングシステム又は電子装置の一部分である。例えば、各ポータブルコンピューティングシステムは、一般的に、音楽プレーヤ、ゲームプレーヤ、ビデオプレーヤ、メディアセンター、ラップトップコンピュータ、タブレットコンピュータ、ハンドヘルド電子装置、等として働く装置に対応する。内部空洞又は領域４３０は、例えば、プリント回路板又は他の支持構造体に表面マウントされるチップ、チップセット又はモジュールの形態をとる集積回路のような適当な数の内部コンポーネントを包囲するように構成される。内部コンポーネントは、マイクロプロセッサ、メモリ、バッテリ、種々のサポート回路、等を含む。
【００４２】
頂部及び底部ハウジングコンポーネント４１０、４２０は、界面又は「抱き」領域４０２において装置の外周で互いに接触することができるが、その細部は、上述した抱き領域３０２とは若干異なる。しかしながら、前記抱き領域３０２と同様に、抱き領域３４２における頂部及び底部ハウジングコンポーネント４１０、４２０の一般的形態は、頂部ハウジングが底部ハウジングと合流する全外周に沿って実質的に同様であるが、ある特徴又は理由で、界面領域に沿ったある点において、種々のカスタム化又は例外が生じ得る。
【００４３】
抱き領域４０２の拡大図に示すように、頂部ハウジング４１０は、接触エリア４４２に沿って底部ハウジング４２０に同様に当接する。この場合も、接触エリア４４２は、１本の線として断面図に示されるが、頂部及び底部のハウジングコンポーネント４１０、４２０間の表面積対表面積の接触領域を表わすことが容易に明らかであろう。前者の簡単な界面領域とは異なり、接触エリア４４２は、一般的に、下部４００又は全体的なポータブルコンピューティング装置により一般的に定義された水平面に対して非ゼロの角度に平面を定義する。
【００４４】
更に、頂部ハウジングコンポーネント４１０及び底部ハウジングコンポーネント４２０の界面領域又は接触領域は、若干複雑さが増し、ポータブルコンピューティングシステムの大量生産に対する前記態様のギャップ３４０より小さく且つより一貫した傾向のあるギャップ又は抱き４４０を生じさせる。特に、頂部ハウジングコンポーネント４１０は、その界面縁に沿って形成された谷４１２を、その谷の背部に沿って立ち上がる肩４２２と共に有する。図示されたように、肩４２２は、その頂面に、接触エリア４４２において底部ハウジングコンポーネント４２０の上面又は第２の接触面に接触する界面縁又は第１の接触面を有する。
【００４５】
両抱き領域３０２、４０２の設計は、一般的に、製品全体の審美的な完全性及び魅力を不当に妥協せずに、大量生産又は交換部品設定においてコンポーネントごとに及び装置ごとに実際の寸法の偏差を許す。しかしながら、抱き領域４０２の頂部及び底部ハウジングコンポーネント４１０、４２０間の、谷４１２及び肩４２２と底部ハウジングコンポーネントとの界面４４２の設計は、ギャップの全体的な最大サイズ及びその偏差と、それにより生じるハウジングコンポーネント間のオフセットとの両方が減少されるという点で優れている。即ち、寸法公差の変化する異なる部品が大量生産環境において組み立てられるときには、ある量のギャップ又は抱き４４０が一般的に予想されるが、ここに開示される谷４１２及び肩４２２と底部ハウジングとの界面設計は、頂部及び底部ハウジング４１０、４２０の寸法公差の厳格化を要求せずに、ギャップの全体的サイズ及び偏差を減少する。
【００４６】
図１４は、本発明の一実施形態による図１３のハウジングコンポーネントの規範的な肩対谷の界面領域を示す拡大側面断面図である。この場合も、抱き領域４０２は、谷及び肩を有する頂部ハウジングコンポーネント４１０と、肩の頂面とで界面をなす上面を有する底部ハウジングコンポーネント４２０とを示している。頂部及び底部ハウジングコンポーネント４１０、４２０間の実際の接触は、接触エリア４４２に沿ったものである。容易に明らかなように、底部ハウジング４２０の先導／可視縁４２４の実際の位置は、頂部及び底部ハウジングコンポーネント４１０、４２０の実際のサイズ及び寸法（例えば、長さ、高さ、厚み、等）に依存する。ある部品組み合わせにおいて、先導縁４２４は、公差スペクトルの中央の右に配置され、ギャップ又は抱き４４０を生じさせる。
【００４７】
異なる部品との他の部品組み合わせは、依然製造公差内に留まる若干異なる寸法をもつことになる。公差内にある部品を依然含むそのような組み合わせは、先縁プロフィール４２４Ａまで前進される先縁配置を生じるか、或いは又先縁プロフィール４２４Ｂまで引っ込んだ先縁配置を生じさせる。明らかなように、前進した先縁プロフィール４２４Ａは、小さな抱き４４０と、底部ハウジングコンポーネント４２０の外面が頂部ハウジングコンポーネント４１０の面より上昇するオフセットとを生じさせ、一方、引っ込んだ先縁プロフィール４２４Ｂは、大きな抱き４４０と、底部ハウジングの外面が頂部ハウジングの外面より沈んだオフセットとを生じさせる。容易に明らかなように、頂部ハウジングコンポーネント又は下部ハウジングコンポーネントのサイズにおいて１つ以上の寸法を変化させると、底部ケースの上部接触面の異なる部分が接触エリア４２２に沿って肩の接触面に接触することになる。
【００４８】
しかしながら、谷及び肩構成の設計が与えられると、ギャップ又は抱き４４０及びオフセットに対する最大、最小及び一貫性の値が、部品又はコンポーネント公差を変更せずに改善される。例えば、ギャップ３４０は、初期の態様では０．０７ないし０．６３インチの範囲であるが、ギャップ４４０は、対応的に、その範囲が０．１１ないし０．６２インチとより一貫したものになる。更に、抱き領域３０２のオフセットは、−０．３３ないし＋０．２４インチの範囲であるが、抱き領域４０２のオフセットは、対応的に、−０．１３ないし＋０．１３インチの範囲のみとなる。この場合も、最大及び最小ギャップ及びオフセットサイズの減少の結果、最終製品が装置ごとに及び生産運転ごとにより一貫したものとなり、改善された審美的品質及び認識を与える。
【００４９】
図１５Ａないし１５Ｃは、本発明の一実施形態によりハウジングコンポーネントの界面領域に谷及び肩を形成する規範的方法を示す。図１５Ａで始めると、頂部ハウジングコンポーネントに谷を形成することを開始するように設計された規範的初期ツール構成が側面断面図で示されている。初期ツール構成５００は、部分的に形成された頂部ハウジングコンポーネント４１０と、適当なカッティング又は整形ツール５１０とを備えている。カッティングツール５１０は、鋸、ドリル、えぐり道具、等の多数のツールのいずれかである。図示されたように、カッティングツール５１０は、頂部ハウジングコンポーネント４１０の領域に一般的な谷を形成するように使用される。
【００５０】
最初の谷が形成された後、谷及び肩の形成を仕上げるように設計された規範的二次ツール構成が図１５Ｂに示されている。その後のツール構成５０２は、最初に谷が形成された頂部ハウジングコンポーネント４１０と、適当な二次カッティング又は整形ツール５２０とを備えている。二次ツール５２０は、肩の延長部分をそり落とし、カットし、さもなければ、除去して、肩の頂面に適当な界面を形成するように使用される。この界面は、底部ハウジングコンポーネントとで接触エリア４４２を最終的に形成する面であるという点で重要である。前記と同様に、二次ツール５２０は、鋸、ドリル、えぐり道具、カンナ、刃、等の多数のツールのいずれかである。
【００５１】
最後に、図１５Ｃは、適当に形成された底部ハウジングコンポーネントの面に接触するときの図１５Ｂの頂部ハウジングコンポーネントの谷及び肩を示す側面断面図である。構成５０４は、適当な界面領域を有する頂部ハウジングコンポーネント４１０及び底部ハウジングコンポーネント４２０を備えている。特に、頂部ハウジング４１０は、仕上げられた谷及び肩領域を有し、そして接触エリア４４２において底部ハウジングコンポーネント４２０に接触するように構成される。上述したように、小さくて且つ装置ごとにサイズがより一貫したギャップ又は抱き４４０が生じる。
【００５２】
図１６は、ここに述べる実施形態によるプロセスを詳細に示すフローチャートである。このプロセス１６００は、界面縁に谷が形成され、その谷が第１の接触面を有する立ち上った肩部を含むような少なくとも楔型の頂部ケースと、底部ケースとを備えたベース部分を準備することにより、１６０２においてスタートする。１６０４において、底部ケースが頂部ケースに結合されて、少なくとも複数の動作コンポーネント及び複数の構造コンポーネントを包囲するためのポータブルコンピューティング装置の少なくとも一部分に対する完全なハウジングを形成する。１６０６において、ベース部分がヒンジアッセンブリにより蓋部分に枢着される。ここに述べる実施形態では、蓋部分は、少なくとも１つがディスプレイである複数のコンポーネントを有する。１６０８において、蓋部分におけるコンポーネントの少なくとも幾つかが、ヒンジアッセンブリを通して延びる１つ以上の電気導体により、ベース部分の動作コンポーネントに電気的に接続される。
【００５３】
前述の発明は、それを明瞭化し理解するために一例として詳細に述べたが、本発明の精神又は本質的な特徴から逸脱せずに、多数の他の特定の変形形態及び実施形態で具現化できることが明らかであろう。多数の変更や修正がなされ得るので、本発明は、以上の詳細な説明に限定されるものではなく、特許請求の範囲のみによって規定されることを理解されたい。
【符号の説明】
【００５４】
１００：ポータブルコンピューティングシステム
１０２：ベース部分
１０４：底部ケース
１０６：頂部ケース
１０８：蓋部分
１１０：中空クラッチアッセンブリ
１１１：化粧壁
１１２：インサート
１１４：キーボード
１１６：タッチパッド
１１８：キーパッド
１２０：ディスプレイ
１２２：後部カバー
１２４：ベゼル
１２６：画像捕獲装置
１２８、１３０：データポート
１３２：支持脚
１３６、１３８：開口
１４０、１４４：リセプタクル
１４２：プラットホーム
１４６：マイクロホン
１５０、１５２：開口
１７０：不正防止固定具
１７２：頭部
１７４：整形くぼみ
１７６：ドライバ
１７８：ドライバ部分
１８２：特徴部プレート
１８４：リベット
１８８：位置
３０２：界面又は抱き領域
３１０：頂部ハウジングコンポーネント
３２０：底部ハウジングコンポーネント
３３０：空洞
３４０：ギャップ又は抱き
３４２：接触エリア
４１０：頂部ハウジングコンポーネント
４２０：底部ハウジングコンポーネント
４４０：ギャップ又は抱き
４４２：接触エリア
５００：初期ツール構成
５０２：その後のツール構成
５０４：構成
５１０：カッティングツール
５２０：二次ツール
【図１】
0005587511.tif 000002
【図２】
0005587511.tif 000003
【図３】
0005587511.tif 000004
【図４】
0005587511.tif 000005
【図５】
0005587511.tif 000006
【図６】
0005587511.tif 000007
【図７】
0005587511.tif 000008
【図８】
0005587511.tif 000009
【図９ａ】
0005587511.tif 000010
【図９ｂ】
0005587511.tif 000011
【図１０ａ−１０ｂ】
0005587511.tif 000012
【図１０ｃ】
0005587511.tif 000013
【図１１ａ】
0005587511.tif 000014
【図１１ｂ】
0005587511.tif 000015
【図１２】
0005587511.tif 000016
【図１３】
0005587511.tif 000017
【図１４】
0005587511.tif 000018
【図１５Ａ】
0005587511.tif 000019
【図１５Ｂ】
0005587511.tif 000020
【図１５Ｃ】
0005587511.tif 000021
【図１６】
0005587511.tif 000022